(57)【要約】【課題】レンズシートを使用しないでも、表面にレンズ機能を保持し、且つ、優れた立体品質を有すると共に生産効率も良いステレオ印刷物を提供することにある。【解決手段】紙基材層に所定幅のストライプ状の撥液性樹脂層と、所定幅のストライプ状の右目用原画と左目用原画からなるステレオ画像原画層とを交互に幅方向に多数列積層し、前記ステレオ画像原画層の上に上方に円弧状に突出するストライプ状のレンズ用透明樹脂層を積層した積層体からなり、前記レンズ用透明樹脂層が紙基材層に撥液性樹脂層とステレオ画像原画層を積層した後にその上全面に紫外線硬化性塗布液を塗布し、撥液性樹脂層上の塗布液をはじかせてステレオ画像原画層上の塗布液を盛り上がらせた状態で紫外線を照射し硬化させることにより形成されてなる。【選択図】図１
2008051855.tif 000002
【特許請求の範囲】
【請求項１】
紙基材層の一方の面に、所定幅のストライプ状の撥液性樹脂層と、所定幅のストライプ状の右目用原画と左目用原画からなるステレオ画像原画層とを交互に幅方向に多数列積層し、前記ステレオ画像原画層の上に同一幅で上方に円弧状に突出するストライプ状のレンズ用透明樹脂層を積層した積層体からなることを特徴とするステレオ印刷物。
【請求項２】
透明基材層の一方の面に、所定幅のストライプ状の右目用原画と左目用原画からなステレオ画像原画層を所定ピッチで幅方向に多数列積層し、他方の面に所定幅のストライプ状の撥液性樹脂層と上方に円弧状に突出する所定幅のストライプ状のレンズ用透明樹脂層を、前記レンズ用透明樹脂層とステレオ画像原画層とがそれぞれ相対するように、交互に幅方向に多数列積層した積層体からなることを特徴とするステレオ印刷物。
【請求項３】
紙又は透明フィルムからなる基材層の一方の面に、所定幅のストライプ状の右目用原画と左目用原画からなるステレオ画像原画層を所定ピッチで幅方向に多数列積層してなる印刷フィルムのステレオ画像原画層側に、透明基材層の一方の面に所定幅のストライプ状の撥液性樹脂層と上方に円弧状に突出する所定幅のストライプ状のレンズ用透明樹脂層と交互に幅方向に多数列積層し、他方の全面にエンボスホログラム形成層、光反射層を順次積層してなる積層フィルムの光反射層側を、前記ステレオ画像原画層とレンズ用透明樹脂層とがそれぞれ相対するように積層した積層体からなることを特徴とするステレオ印刷物。
【請求項４】
前記レンズ用透明樹脂層が紙基材層にストライプ状の撥液性樹脂層とストライプ状のステレオ画像原画層を交互に幅方向に多数列積層した後に、その上全面に紫外線硬化性塗布液を塗布し、撥液性樹脂層上の塗布液をはじかせてステレオ画像原画層上の塗布液を盛り上がらせた状態で紫外線を照射し硬化させることにより形成されてなることを特徴とする請求項１記載のステレオ印刷物。
【請求項５】
前記レンズ用透明樹脂層が、透明基材層にストライプ状の撥液性樹脂層を所定間隔で幅方向に多数列積層した後に、その上全面に紫外線硬化性塗布液を塗布し、撥液性樹脂層上の塗布液をはじかせて透明基材層上の塗布液を盛り上がらせた状態で紫外線を照射し硬化させることにより形成されてなることを特徴とする請求項２又は請求項３記載のステレオ印刷物。
【発明の詳細な説明】
【技術分野】
【０００１】
本発明は、ステレオ印刷物に関するものである。
【背景技術】
【０００２】
通常、ステレオ印刷物は別工程で作成した微細なフレネルレンズ、レンチキュラーレンズあるいはプリズムレンズなどの工学要素を有するレンズシートと、基材にステレオ画像原画層を印刷した印刷済み基材とを熱圧着法あるいは接着剤を介して積層したものが多いが、熱圧着法の場合は熱圧着の際の熱によってレンズシートが伸びてしまう問題があって立体品質が劣ってしまい、接着剤を使用する場合でも、ステレオ画像原画層とレンズシートとの位置合わせがうまくいかないなどの問題があって同様に立体品質が劣る。これらの問題を改善したステレオ印刷物が提案されている（例えば、特許文献１参照。）。
【特許文献１】特開２００３−１９１６６６号公報
【発明の開示】
【発明が解決しようとする課題】
【０００３】
しかしながら、前記提案されているステレオ印刷物も、別工程で作成したレンチキュラーレンズシートが使用されており、各作成工程が複雑で、生産効率も悪かった。
【０００４】
本発明の課題は、レンズシートが使用されていないステレオ印刷物で、表面にレンズ機能を保持し、且つ、優れた立体品質を有すると共に生産効率が良いステレオ印刷物を提供することにある。
【課題を解決するための手段】
【０００５】
本発明の請求項１に係る発明は、紙基材層の一方の面に、所定幅のストライプ状の撥液性樹脂層と、所定幅のストライプ状の右目用原画と左目用原画からなるステレオ画像原画層とを交互に幅方向に多数列積層し、前記ステレオ画像原画層の上に同一幅で上方に円弧状に突出するストライプ状のレンズ用透明樹脂層を積層した積層体からなることを特徴とするステレオ印刷物である。
【０００６】
本発明の請求項２に係る発明は、透明基材層の一方の面に、所定幅のストライプ状の右目用原画と左目用原画からなるステレオ画像原画層を所定ピッチで幅方向に多数列積層し、他方の面に所定幅のストライプ状の撥液性樹脂層と上方に円弧状に突出する所定幅のストライプ状のレンズ用透明樹脂層とを、前記レンズ用透明樹脂層とステレオ画像原画層とが相対するように、交互に幅方向に多数列積層した積層体からなることを特徴とするステレオ印刷物である。
【０００７】
本発明の請求項３に係る発明は、紙又は透明フィルムからなる基材層の一方の面に、所定幅のストライプ状の右目用原画と左目用原画からなるステレオ画像原画層を所定ピッチで幅方向に多数列積層してなる印刷フィルムのステレオ画像原画層側に、透明基材層の一方の面に所定幅のストライプ状の撥液性樹脂層と上方に円弧状に突出する所定幅のストライプ状のレンズ用透明樹脂層とを交互に幅方向に多数列積層し、他方の全面にエンボスホログラム形成層、光反射層を順次積層してなる積層フィルムの光反射層側を、前記ステレオ画像原画層とレンズ用透明樹脂層とが相対するように積層した積層体からなることを特徴とするステレオ印刷物である。
【０００８】
本発明の請求項４に係る発明は、上記請求項１に係る発明に於いて、前記レンズ用透明
樹脂層が紙基材層にストライプ状の撥液性樹脂層とストライプ状のステレオ画像原画層を交互に幅方向に多数列積層した後に、その上全面に紫外線硬化性塗布液を塗布し、撥液性樹脂層上の塗布液をはじかせてステレオ画像原画層上の塗布液を盛り上がらせた状態で紫外線を照射し硬化させることにより形成されてなることを特徴とするステレオ印刷物である。
【０００９】
本発明の請求項５に係る発明は、上記請求項２又は請求項３に係る発明に於いて、前記レンズ用透明樹脂層が、透明基材層にストライプ状の撥液性樹脂層を所定間隔で幅方向に多数列積層した後に、その上全面に紫外線硬化性塗布液を塗布し、撥液性樹脂層上の塗布液をはじかせて透明基材層上の塗布液を盛り上がらせた状態で紫外線を照射し硬化させることにより形成されてなることを特徴とするステレオ印刷物である。
【発明の効果】
【００１０】
本発明のステレオ印刷物は、紙基材層の一方の面に、所定幅のストライプ状の撥液性樹脂層と、所定幅のストライプ状の右目用原画と左目用原画からなるステレオ画像原画層とを交互に幅方向に多数列積層し、前記ステレオ画像原画層の上に同一幅で上方に円弧状に突出するストライプ状のレンズ用透明樹脂層を積層した積層体からなっており、前記レンズ用透明樹脂層が紙基材層にストライプ状の撥液性樹脂層とストライプ状のステレオ画像原画層を交互に幅方向に多数列積層した後に、その上全面に紫外線硬化性塗布液を塗布し、撥液性樹脂層上の塗布液をはじかせてステレオ画像原画層上の塗布液を盛り上がらせた状態で紫外線を照射し硬化させることにより形成されてなり、又は、透明基材層の一方の面に、所定幅のストライプ状の右目用原画と左目用原画からなステレオ画像原画層を所定ピッチで幅方向に多数列積層し、他方の面に所定幅のストライプ状の撥液性樹脂層と上方に円弧状に突出する所定幅のストライプ状のレンズ用透明樹脂層を、前記レンズ用透明樹脂層とステレオ画像原画層とが相対するように、交互に幅方向に多数列積層した積層体か、若しくは、紙又は透明フィルムからなる基材層の一方の面に、所定幅のストライプ状の右目用原画と左目用原画からなるステレオ画像原画層を所定ピッチで幅方向に多数列積層してなる印刷フィルムのステレオ画像原画層側に、透明基材層の一方の面に所定幅のストライプ状の撥液性樹脂層と上方に円弧状に突出する所定幅のストライプ状のレンズ用透明樹脂層と交互に幅方向に多数列積層し、他方の全面にエンボスホログラム形成層、光反射層を順次積層してなる積層フィルムの光反射層側を、前記ステレオ画像原画層とレンズ用透明樹脂層とが相対するように積層した積層体からなっており、前記レンズ用透明樹脂層が、透明基材層にストライプ状の撥液性樹脂層を所定間隔で幅方向に多数列積層した後に、その上全面に紫外線硬化性塗布液を塗布し、撥液性樹脂層上の塗布液をはじかせて透明基材層上の塗布液を盛り上がらせた状態で紫外線を照射し硬化させることにより形成されてなるので、レンズシートを使用しないでも、表面にレンズ機能を保持しており、生産効率も良く、ステレオ画像原画層との位置合わせも良好で優れた立体品質が得られる。また、エンボスホログラム形成層及び光反射層を設けることにより、さらに他の機能を付与したステレオ印刷物が得られる。
【発明を実施するための最良の形態】
【００１１】
本発明のステレオ印刷物を実施の形態に沿って以下に説明する。図１（ａ）は本発明のステレオ印刷物の一実施形態を示す斜視図であり、ステレオ印刷物（１）は、紙基材層（１０）の一方の面に、所定幅のストライプ状の撥液性樹脂層（２１）と、所定幅のストライプ状の右目用原画（Ｒ）と左目用原画（Ｌ）からなるステレオ画像原画層（２２）とを交互に幅方向にそれぞれ４列積層し、前記ステレオ画像原画層（２２）の上に同一幅で上方に円弧状に突出するストライプ状のレンズ用透明樹脂層（２３）を積層した積層体からなっている。前記レンズ用透明樹脂層（２３）は、紙基材層（１０）にストライプ状の撥液性樹脂層（２１）とストライプ状のステレオ画像原画層（２２）を交互に幅方向に４列積層した後に、その上全面に紫外線硬化性塗布液を塗布し、撥液性樹脂層（２１）上の塗布液をはじかせてステレオ画像原画層（２２）上の塗布液を盛り上がらせた状態で紫外線を照射し硬化させる方法で形成されている。
【００１２】
図１（ｂ）は本発明のステレオ印刷物の他の実施形態を示す斜視図であり、ステレオ印刷物（２）は、透明基材層（１１）の一方の面に、所定幅のストライプ状の右目用原画（Ｒ）と左目用原画（Ｌ）からなるステレオ画像原画層（２２）を幅方向にｘのピッチで４列積層し、他方の面に所定幅のストライプ状の撥液性樹脂層（２１）と上方に円弧状に突出する所定幅のストライプ状のレンズ用透明樹脂層（２４）とを、ステレオ画像原画層（２２）とレンズ用透明樹脂層（２４）とが相対するように幅方向に交互に４列積層した積層体からなっている。なお、前記ステレオ画像原画層（２２）側にさらに紙層又は透明フィルム層を積層しても良い。
【００１３】
図１（ｃ）は本発明のステレオ印刷物のさらに他の実施形態を示す斜視図であり、ステレオ印刷物（３）は、基材層（１２）の一方の面に、所定幅のストライプ状の右目用原画（Ｒ）と左目用原画（Ｌ）からなるステレオ画像原画層（２２）を幅方向にｘのピッチで４列積層してなる印刷フィルム（３０）のステレオ画像原画層（２２）側に、透明基材層（１１）の一方の面に所定幅のストライプ状の撥液性樹脂層（２１）と上方に円弧状に突出する所定幅のストライプ状のレンズ用透明樹脂層（２４）とを交互に幅方向に４列積層し、他方の全面にエンボスホログラム形成層（２５）、光反射層（２６）を順次積層してなる積層フィルム（３１）の光反射層（２６）側を、ステレオ画像原画層（２２）とレンズ用透明樹脂層（２４）とが相対するように接着剤層（２７）を介して積層した積層体からなっている。
【００１４】
図１（ｂ）及び図１（ｃ）のレンズ用透明樹脂層（２４）は、透明基材層（１１）にストライプ状の撥液性樹脂層（２１）を幅方向に４列積層した後に、その上全面に紫外線硬化性塗布液を塗布し、撥液性樹脂層（２１）上の塗布液をはじかせて透明基材層（１１）上の塗布液を盛り上がらせた状態で紫外線を照射し硬化させる方法で形成されている。
【００１５】
なお、ステレオ画像原画層（２２）のピッチ（ｘ）と、レンズ用透明樹脂層（２４）のピッチ（ｙ）の関係は、ｘ＝ｎｙ又はｘ＝ｙ／ｎ（ｎは１〜１０の整数）のものが対象となる。
【００１６】
前記紙基材層（１０）に使用する紙は、坪量が１００〜５００ｇ／ｍ2の紙が使用される。
【００１７】
前記透明基材層（１１）は、透明な単層フィルムあるいは積層フィルムからなっており、単層フィルムとしては、ポリエステル系フィルム、ポリアミド系フィルム、ポリプロピレンフィルムが使用可能であり、積層フィルムとしては、前記単層フィルムにポリオレフィン系樹脂からなるシーラント層を積層したものや、あるいは前記単層フィルムに、金属酸化物蒸着フィルム、エチレン・ビニルアルコールフィルム又はポリビニルアルコールフィルムなどのガスバリ性フィルム層、ポリオレフィン系樹脂からなるシーラント層を積層したものが使用可能である。
【００１８】
前記基材層（１２）は、紙又は高分子フィルムからなっており、紙としては坪量が１００〜５００ｇ／ｍ2の紙が使用可能で、高分子フィルムとしてはポリエステル系フィルム、ポリアミド系フィルム、ポリプロピレンフィルム、金属若しくは金属酸化物などの蒸着フィルムが使用可能である。
【００１９】
前記撥液性樹脂層（２１）は、フッ素系樹脂やシリコーン系樹脂を含有するインキを用いて公知のグラビア印刷法などでストライプ状に形成する。
【００２０】
前記ステレオ画像原画層（２２）は、通常の紙用インキやフィルム用インキを用いて公知のグラビア印刷法でストライプ状に形成する。
【００２１】
前記レンズ用透明樹脂層（２３、２４）は、紫外線硬化性塗布剤、例えば、アクリルオリゴマーを主成分とする塗布剤を用いてストライプ状に形成する。
【００２２】
前記エンボスホログラム形成層（２５）に使用する高分子樹脂は、ポリエステル樹脂、ポリスチレン樹脂、ポリプロピレン樹脂、ポリエチレン樹脂、ポリアミド樹脂、エチレン・メタクリル酸共重合体樹脂、エチレン・アクリル酸共重合体樹脂、アイオノマー樹脂、ポリメチルペンテン樹脂などの溶融押出加工ができ、かつ、ホログラム用スタンパーで熱プレスした時に凹凸状にエンボスされるものであれば良い。その厚みは加工性、経済性を考慮すると５〜２００μｍの範囲のものが利用できる。
【００２３】
さらに、前記エンボスホログラム形成層（２５）の積層方法は、グラビアコート法やロールコート法などの一般的なコート方法や溶融押出機を使用して高分子樹脂を溶融押出して積層させる方法などが採用できる。
【００２４】
前記光反射層（２６）は、光を反射させ、エンボスホログラムを明瞭化させる為に積層され、金属蒸着薄膜や透明な蒸着薄膜から形成される。前記金属蒸着薄膜は表面反射率の高い材料を使用するのが好ましく、アルミニウム、金、銀、銅、錫及びこれらの合金材料が使用され、透明な蒸着薄膜の材料としては、エンボスホログラム形成層（２５）に使用した樹脂の屈折率との差が大きいものが好ましく、例えば、酸化チタン、酸化珪素、酸化錫、酸化亜鉛、酸化インジウム、酸化アルミニウム、酸化マゲネシウム、硫化亜鉛、硫化カドミウムなどの屈折率が高いものが良い。
【００２５】
前記光反射層（２６）の積層方法は、真空蒸着法、スパッタリング法、イオンプレーティング法などで積層する。その厚みは５〜５００ｎｍの範囲が好ましい。
【００２６】
前記接着剤層（２７）は、ポリエステルポリオールあるいはポリエーテルポリオール、アクリルポリオールを主剤としたポリウレタン系接着剤からなっており、塗布量は乾燥状態で１〜５ｇ／ｍ2である。
【図面の簡単な説明】
【００２７】
【図１】（ａ）は本発明のステレオ印刷物の一実施形態を示す斜視図であり、（ｂ）はステレオ印刷物の他の実施形態を示す斜視図であり、（ｃ）はステレオ印刷物のさらに他の実施形態を示す斜視図である。
【符号の説明】
【００２８】
１，２，３…ステレオ印刷物
１０…紙基材層
１１…透明基材層
１２…基材層
２１…撥液性樹脂層
２２…ステレオ画像原画層
２３，２４…レンズ用透明樹脂層
２５…エンボスホログラム形成層
２６…光反射層
３０…印刷フィルム
３１…積層フィルム
Ｒ…右目用原画
Ｌ…左目用原画
ｘ…ステレオ画像原画層のピッチ
ｙ…レンズ用透明樹脂層のピッチ
【図１】
2008051855.tif 000003